(57)【要約】【課題】  住宅等建築物の壁面や天井面などの内装表面仕上げ材として用いることができ、特にリフォーム時の張替え作業を容易に、且つ安価にすることができる化粧材を提供することを目的とする。【解決手段】  複数層の化粧シート層と複数層の粘接着層との積層体からなり、表面側の粘接着層の剥離強度がそれよりも裏面側の粘接着層の剥離強度よりも順次低い剥離強度となるように形成されており、表層側から順に剥離し易くなるように形成されている。【選択図】  図１
2007136801.tif 000002
【特許請求の範囲】
【請求項１】
複数層の化粧シート層と複数層の粘接着材層との積層体からなり、表面側の粘接着層の剥離強度がそれよりも裏面側の粘接着材層の剥離強度よりも順次低い剥離強度となるように形成されていることを特徴とする化粧材。
【発明の詳細な説明】
【技術分野】
【０００１】
本発明は、住宅、店舗、展示場等の建築物の壁面、間仕切り面、天井面に用いることのできる内装仕上げ用化粧材、特に手間を要さずに模様替えのできる化粧材に関する。
【背景技術】
【０００２】
従来から、住宅等建築物の壁面などの内装仕上げ面に合成樹脂シートからなる化粧シートを貼着することが行われている。これらの化粧シートは、長い間の使用によって汚れや傷を生じ、その際には上記汚れや傷を生じた古い化粧シートを剥がした後、この剥離面を調整し、再度接着剤を塗布して新しい化粧シートを貼着することにより張り替えが行われていた。
【０００３】
しかしながら、このような従来の古い化粧シートの張替え作業を行うには、多大な手間とコストがかかるとともに、熟練した専門的な技術が必要であるなどの欠点を有していた。
【０００４】
このため、従来から、例えば特許文献１に記載のあるように、片面に粘着材層が設けられた合成樹脂製シートを複数枚積層して形成した表面仕上げ用多層化粧シートが提案されている。この多層シートは、例えば塩化ビニル樹脂等の化粧シートの片面にゴムなどを主材とする粘着材層を設けることにより形成されている。
【０００５】
これによって、化粧面が汚れたり傷ついたりした場合には、最表層の化粧シートを剥離するという簡単な作業で、その下層の化粧シートを新しい化粧層として表面に現出させることが可能となり、従来の化粧シートの張替え手間やそれに要する費用を削減できることが可能になった。
【０００６】
しかしなから、上記特許文献１に記載の方法は、多層シートの粘着材層に特徴がないため、最表層の化粧シートを剥がそうとすると、その下の化粧シートまで剥がれてしまう等、最表層の化粧シートだけを選択して剥がすことが難しいという問題を有していた。
【特許文献１】実開平６−２８０６２号公報
【発明の開示】
【発明が解決しようとする課題】
【０００７】
本発明は上記問題点に鑑みてなされたもので、化粧シートの張替えの手間や経費を軽減でき、また表層から順に容易に張替えができる化粧材を提供することを目的とする。
【課題を解決するための手段】
【０００８】
このような目的を達成するために、請求項１に係る発明の化粧材は、複数層の化粧シート層と複数層の粘接着材層との積層体からなり、表面側の粘接着材層の剥離強度がそれよりも裏面側の粘接着材層の剥離強度よりも順次低い剥離強度となるように形成されていることを特徴とする。
【発明の効果】
【０００９】
請求項１の発明の化粧材によれば、複数層の化粧シート層と複数層の粘接着材層との積層体で形成されているので、これを住宅等建築物の壁面などに貼着した後、リフォームしようとした場合、最表層の化粧シートを剥がしてその下層の化粧シートを表面に現出させることができるので、張替えの手間や費用を少なくすることができ、また張替えに際して熟練技術を必要とすることもない。
【００１０】
また、表面側の粘接着材層の剥離強度がそれよりも裏面側の粘接着材層の剥離強度よりも順次低い剥離強度となるように形成されているので、リフォーム時に表層側の化粧シートから順に裏層側の化粧シートへと、容易且つ確実に剥がすことができ、その張替え作業を一層良好に行うことができる。
【発明を実施するための最良の形態】
【００１１】
以下、本発明の実施形態を図に基づき説明する。尚、本発明は実施形態の記載内容に限られるものではない。
【００１２】
図１は、本発明の第１実施形態である化粧材Ａを示し、この化粧材Ａは、上から順に最表層の第１化粧シート層１と、その下方に位置する第１粘接着材層２と、その下層に位置する第２化粧シート層３と、その下方に位置する第２粘接着材層４と、更にその下方に位置する第３化粧シート層５と、その下方の最裏層に位置する第３粘接着材層６とで形成されている。
【００１３】
そして、第１粘接着材層２の剥離強度が第２粘接着材層４の剥離強度よりも低い剥離強度となり、また第２粘接着材層４の剥離強度が第３粘接着材層６の剥離強度よりも低い剥離強度となるように形成されている。即ち表面側に位置する粘接着材層の剥離強度よりも順に裏面側に位置する粘接着材層の剥離強度の方が強くなるように第１、第２、第３の粘接着材層２、４、６が形成されている。
【００１４】
また、第１から第３の粘接着材層２、４、６は、その上方即ち表面側に位置する化粧シート層１、３、５に夫々接着した状態でその下方即ち裏面側に位置する化粧シート層３、５や壁面との間で剥離できるように形成されている。例えば、リフォーム時に最表層の第１化粧シート層１を剥がす場合、この最表層の第１化粧シート層１の裏面側に第１粘接着材層２が接着した状態で、第１粘接着材層２とその下方の第２化粧シート層３との間で剥離するように形成されている。
【００１５】
ここにおいて、第１から第３の化粧シート層１、３、５を形成する各化粧シートとしては、表面に印刷等の化粧が施されたポリオレフィンシートや印刷紙、或いはそれらの裏面に裏打ち紙や裏打ちシート、裏打ち緩衝シート等の裏打ち材を貼着したものなどを用いることができる。また、各化粧シートや裏打ち材には、消臭剤や芳香剤を混入して、消臭性や芳香性を付与しておくこともできる。
【００１６】
また、第１から第３の粘接着材層２、４、６を形成する粘接着材としては、特に限定されるものではないが、例えばアクリル樹脂系の粘接着材を用いることができる。そして、これら粘接着材層２、４、６の剥離強度に前記の如き強弱をつけるためには、その成分を調整して粘接着力を変える方法、ガラス転移点を変えて粘接着力を変える方法、塗布量や硬化成分の添加量を変えて粘接着力を変える方法、塗布時の溶剤の希釈率を変えて粘接着力を変える方法等を適用することができる。
【００１７】
尚、上記第１実施形態の化粧材Ａでは、第１化粧シート層５の裏面に第３粘接着材層６を設ける例を示したが、この第３粘接着材層６は特に設ける必要はない。このような第３粘接着材層６を設けていない化粧材を、壁面などの施工面に接着する場合は、第２粘接着材層４よりも剥離強度の強い接着剤を用いて、現場施工することができる。
【００１８】
また、上記第１実施形態の化粧材Ａでは、第１から第３の３層の化粧シート層１、３、５を持つものを示したが、これに限らず化粧シート層の数は２層であっても４層であっても良い。
【００１９】
図２は、本発明の第２実施形態である化粧材Ｂを示し、この化粧材Ｂは、前記第１実施形態の化粧材Ａにおいて、その各化粧シート層が表面の化粧シートとこの化粧シート裏面に貼着された発泡ウレタンシート等の緩衝性裏打ちシート７とからなる第１から第3の化粧シート層１ａ、３ａ、５ａを備えており、その他の構成は前記化粧材Ａと同じである。
【００２０】
このように、化粧シート層１ａ、３ａ、５ａに緩衝性裏打ちシート７を貼着した化粧材Ｂを壁面に用いた場合には、子供・老人等が壁に衝突してもその衝撃を緩和することができる。尚、上記化粧材Ｂでは、化粧シート層１ａ、３ａ、５ａの各裏面すべてに緩衝性裏打ちシート７を貼着した例を示したが、これに限らず化粧シート層１ａ、３ａ、５ａのいずれか一つに緩衝性裏打ちシート７を貼着しておくこともできる。
【００２１】
図３は、本発明の第３実施形態である化粧材Ｃを示し、この化粧材Ｃは、横方向に直線的な剥ぎ取り線８が設けられている。この剥ぎ取り線８は、無数の微細な小孔を直線的に配列して形成したり、あるいは化粧シート層と粘接着材層とを切断する切断線等として形成されている。
【００２２】
従って、リフォームする場合、汚れた表面の化粧シート層をこの剥ぎ取り線８に沿って小分けして剥ぎ取ることができ、リフォーム作業を一層良好に行うことができる。特に、化粧材Ｃを施工した後に、巾木などの造作材やエアコン、或いは家具類等を設置した場合、その境界に上記剥ぎ取り線８を位置させておくと、更にリフォーム作業を容易に行うことができる。
【００２３】
尚、上記第３実施形態の化粧材Ｃでは、剥ぎ取り線８を横方向に直線的に設ける例を示したが、これに限らず、例えば、縦方向に直線的に設けたり、縦横方向に直線的に設けたり、更には任意の曲線状に設けたりすることもできる。
【００２４】
また、このような剥ぎ取り線８は、複数の化粧シート層の一つに設けることも全部に設けることもできる。そして、複数の化粧シート層に設ける場合には、表面側の化粧シート層と裏面側の化粧シート層とで、剥ぎ取り線８の位置を同じくすることもできるが、異ならせておくことにより、表面側の化粧シート層を取り除く剥離作業を一層良好に行うことができる。
【図面の簡単な説明】
【００２５】
【図１】本発明の第１実施形態である化粧材Ａを示す断面図。
【図２】本発明の第２実施形態である化粧材Ｂを示す断面図。
【図３】本発明の第３実施形態である化粧材Ｃを示す平面図。
【符号の説明】
【００２６】
Ａ、Ｂ、Ｃ        化粧材
１、１ａ          第１化粧シート層
２                第１粘接着材層
３、３ａ          第２化粧シート層
４                第２粘接着材層
５、５ａ          第３化粧シート層
６                第３粘接着材層
７                緩衝性裏打ちシート
８                剥ぎ取り線
【図１】
2007136801.tif 000003
【図２】
2007136801.tif 000004
【図３】
2007136801.tif 000005